(57)【要約】  【課題】  タイムシフト再生中にタイマースタンバイ状態に移行するためのキー操作を無くし、これにより、タイマ予約による記録操作を簡単化し、使い勝手の向上を図れる光ディスク記録再生装置を提供する。  【解決手段】  タイムシフト再生実行中であるとタイムシフト判定手段により判定された場合に、次に、タイマ予約が有るか否かが予約判定手段により判定される。タイマ予約があると判定され、且つ、予約時刻の所定時間前であると時間前判定手段により判定された場合、タイマ予約による記録に関する動作が第１の予約実行手段により実行される。そして、タイマ予約による記録終了後にパワーオフせずにタイムシフト再生がタイムシフト再生手段により続けられ、前記タイムシフト再生を続けた後に、タイマ予約があればタイマ予約による記録に関する動作が第２の予約実行手段により実行される。【選択図】      図２
2006066028.tif 000002
【特許請求の範囲】
【請求項１】
タイマ予約がパワーオフ状態でないと実行されないパワーオフ・スタンバイ仕様を有し
、光ディスクに対して記録／再生を行う光ディスク記録再生装置において、タイムシフト
再生を実行中であるか否かを判定するタイムシフト判定手段と、前記タイムシフト再生実
行中であると判定された場合にタイマ予約が有るか否かを判定する予約判定手段と、前記
タイマ予約があると判定された場合に予約時刻の所定時間前であるか否かを判定する時間
前判定手段と、前記予約時刻の所定時間前であると判定された場合にタイマ予約による記
録を実行させるための第１の予約実行手段と、前記タイマ予約による記録終了後にパワー
オフせずにタイムシフト再生を続けるタイムシフト再生手段と、前記タイムシフト再生を
続けた後にタイマ予約があればタイマ予約による記録を実行させるための第２の予約実行
手段とを有するシステムコントローラを備えたことを特徴とする光ディスク記録再生装置
。
【請求項２】
タイマ予約がパワーオフ状態でないと実行されないパワーオフ・スタンバイ仕様を有し
、光ディスクに対して記録／再生を行う光ディスク記録再生装置において、タイムシフト
再生実行中にタイマ予約がある場合、このタイマ予約による記録が終了後に、パワーオフ
せずにタイムシフト再生を続け、この後、タイマ予約があれば、タイマ予約による記録を
実行させるための制御を行うシステムコントローラを備えたことを特徴とする光ディスク
記録再生装置。
【請求項３】
前記システムコントローラは、タイムシフト再生を実行中であるか否かを判定するタイ
ムシフト判定手段と、前記タイムシフト再生実行中であると判定された場合にタイマ予約
が有るか否かを判定する予約判定手段と、前記タイマ予約があると判定された場合に予約
時刻の所定時間前であるか否かを判定する時間前判定手段と、前記予約時刻の所定時間前
であると判定された場合にタイマ予約による記録を実行させるための第１の予約実行手段
と、前記タイマ予約による記録終了後にパワーオフせずにタイムシフト再生を続けるタイ
ムシフト再生手段と、前記タイムシフト再生を続けた後にタイマ予約があればタイマ予約
による記録を実行させるための第２の予約実行手段とを有するシステムコントローラを備
えたことを特徴とする請求項２に記載の光ディスク記録再生装置。
【発明の詳細な説明】
【技術分野】
【０００１】
本発明は、タイマ予約がパワーオフ状態でないと実行されないパワーオフ・スタンバイ
仕様を有し、光ディスクに対して記録／再生を行う光ディスク記録再生装置に関する。
【背景技術】
【０００２】
従来から知られているように、ＤＶＤ（デジタル・バーサタイル・ディスク）レコーダ
などの光ディスク記録再生装置では、受信中のテレビ番組を予約録画するためのタイマ予
約がパワーオフ状態でないと実行されない仕様である所謂パワーオフ・スタンバイ仕様を
有している。また、光ディスク記録再生装置は、受信中のテレビ番組を記録し、記録中で
あっても記録した番組を記録している範囲内の任意の箇所から表示できるようになってい
る。即ち、光ディスク記録再生装置では、タイムシフト再生機能を用いて番組を光ディス
クに記録処理中であっても、記録した番組を記録している範囲内の任意の箇所から表示で
きるようになっている。
【０００３】
図４は従来の光ディスク記録再生装置においてタイムシフト再生の処理を時系列的に示
す図である。この図４を参照して説明すると、時点Ｔ１でプレイキーを押下したとき、タ
イムシフト再生が開始し、時点Ｔ２でストップキーを押下すると、通常モードに戻る。例
えば、テレビジョン受像機で第１のテレビ番組を視聴しながら第２のテレビ番組を、光デ
ィスク記録再生装置を用いて光ディスクに記録を開始し、この記録中に記録された画像を
一定時間遅らせて再生を開始させるため、時点Ｔ１でプレイキーを押下する。これにより
、タイムシフトで第２のテレビ番組が再生される。そして、時点Ｔ２でストップキーを押
下すると、タイムシフト再生は停止され、通常モードに戻る。
【特許文献１】特開２００３−１６９２６３号公報
【特許文献２】特開２００４−１４０６２５号公報
【発明の開示】
【発明が解決しようとする課題】
【０００４】
しかしながら、従来の光ディスク記録再生装置では、タイマー予約を開始するためにパ
ワーオフ（タイマースタンバイモードに移行）する必要があり、このためタイムシフト再
生中にユーザがタイマースタンバイキーを押下し、これにより、タイマースタンバイモー
ドに移行し、タイマー録画を始めるようになっているので、タイマ録画（タイマ記録）を
開始するためのキー操作が多くなり、ユーザにとっては使い勝手が劣るという課題があっ
た。
【０００５】
なお、特許文献１の従来技術は、タイムシフト再生を行いながら画像を記録する際に、
ユーザからのテレビ番組の視聴の指示があったとき、録画が中断されることなく、録画に
関係のないチューナが自動選択され、これにより、テレビ番組の視聴を行なうことが可能
になるようにしているが、この従来技術は、ハードディスクドライブを内蔵したテレビジ
ョン受信機に関するものであり、光ディスク記録再生装置におけるタイムシフト再生処理
およびタイマ予約処理に関するものではない。
【０００６】
特許文献２の従来技術は、電源投入中であっても予約録画が可能なハードディスクレコ
ーダの予約録画方式および予約録画装置に関するものであり、光ディスク記録再生装置に
おけるタイムシフト再生処理およびタイマ予約処理に関するものではない。
【０００７】
本発明は、上記のような課題を解決するためになされたもので、タイムシフト再生中に
タイマースタンバイ状態に移行するためのキー操作を無くし、これにより、タイマ予約に
よる記録操作を簡単化し、使い勝手の向上を図れる光ディスク記録再生装置を提供するこ
とを目的とする。
【課題を解決するための手段】
【０００８】
上記目的を達成するために、請求項１の発明は、タイマ予約がパワーオフ状態でないと
実行されないパワーオフ・スタンバイ仕様を有し、光ディスクに対して記録／再生を行う
光ディスク記録再生装置において、タイムシフト再生を実行中であるか否かを判定するタ
イムシフト判定手段と、前記タイムシフト再生実行中であると判定された場合にタイマ予
約が有るか否かを判定する予約判定手段と、前記タイマ予約があると判定された場合に予
約時刻の所定時間前であるか否かを判定する時間前判定手段と、前記予約時刻の所定時間
前であると判定された場合にタイマ予約による記録を実行させるための第１の予約実行手
段と、前記タイマ予約による記録終了後にパワーオフせずにタイムシフト再生を続けるタ
イムシフト再生手段と、前記タイムシフト再生を続けた後にタイマ予約があればタイマ予
約による記録を実行させるための第２の予約実行手段とを有するシステムコントローラを
備えたことを特徴とする光ディスク記録再生装置を提供する。
【０００９】
この構成において、タイムシフト再生実行中であるとタイムシフト判定手段により判定
された場合に、次に、タイマ予約が有るか否かが予約判定手段により判定される。前記タ
イマ予約があると判定され、且つ、前記予約時刻の所定時間前であると時間前判定手段に
より判定された場合、タイマ予約による記録に関する動作が第１の予約実行手段により実
行される。そして、タイマ予約による記録終了後に、パワーオフせずにタイムシフト再生
がタイムシフト再生手段により続けられ、前記タイムシフト再生を続けた後に、タイマ予
約があればタイマ予約による記録に関する動作が第２の予約実行手段により実行される。
【００１０】
この構成によれば、タイムシフト再生中に、タイマ予約を開始するためにパワーオフす
るタイマースタンバイ状態に移行するためのタイマースタンバイキーを割り当てる必要が
無くなり、これにより、タイマースタンバイ状態に移行するためのキー操作が無くなり、
タイマ予約による記録操作を簡単化し、したがって、ユーザにとっては使い勝手が向上す
る。
【００１１】
請求項２の発明は、タイマ予約がパワーオフ状態でないと実行されないパワーオフ・ス
タンバイ仕様を有し、光ディスクに対して記録／再生を行う光ディスク記録再生装置にお
いて、タイムシフト再生実行中にタイマ予約がある場合、このタイマ予約による記録が終
了後に、パワーオフせずにタイムシフト再生を続け、この後、タイマ予約があれば、タイ
マ予約による記録を実行させるための制御を行うシステムコントローラを備えたことを特
徴とする光ディスク記録再生装置を提供する。
【００１２】
この構成において、タイムシフト再生実行中にタイマ予約がある場合、このタイマ予約
による記録が終了後に、パワーオフせずにタイムシフト再生が続けられ、この後、タイマ
予約があれば、タイマ予約による記録が実行される。
【００１３】
この構成によれば、タイムシフト再生中に、タイマ予約を開始するためにパワーオフす
るタイマースタンバイ状態に移行するためのタイマースタンバイキーを割り当てる必要が
無くなり、これにより、タイマースタンバイ状態に移行するためのキー操作が無くなり、
タイマ予約による記録操作を簡単化し、したがって、ユーザにとっては使い勝手が向上す
る。
【００１４】
請求項３の発明では、請求項２の発明において、前記システムコントローラは、タイム
シフト再生を実行中であるか否かを判定するタイムシフト判定手段と、前記タイムシフト
再生実行中であると判定された場合にタイマ予約が有るか否かを判定する予約判定手段と
、前記タイマ予約があると判定された場合に予約時刻の所定時間前であるか否かを判定す
る時間前判定手段と、前記予約時刻の所定時間前であると判定された場合にタイマ予約に
よる記録を実行させるための第１の予約実行手段と、前記タイマ予約による記録終了後に
パワーオフせずにタイムシフト再生を続けるタイムシフト再生手段と、前記タイムシフト
再生を続けた後にタイマ予約があればタイマ予約による記録を実行させるための第２の予
約実行手段とを有するので、タイムシフト再生実行中、タイマ予約、および予約時刻の所
定時間前であるか否かを判定でき、タイマ予約による記録に関する動作、タイマ予約によ
る記録終了後にパワーオフせずにタイムシフト再生を行なう動作、および前記タイムシフ
ト再生を続けた後に、タイマ予約があればタイマ予約による記録に関する動作を実行する
ことができる。
【発明の効果】
【００１５】
以上のように本発明によれば、タイムシフト再生を実行中であるか否かを判定するタイ
ムシフト判定手段と、前記タイムシフト再生実行中であると判定された場合にタイマ予約
が有るか否かを判定する予約判定手段と、前記タイマ予約があると判定された場合に予約
時刻の所定時間前であるか否かを判定する時間前判定手段と、前記予約時刻の所定時間前
であると判定された場合にタイマ予約による記録を実行させるための第１の予約実行手段
と、前記タイマ予約による記録終了後にパワーオフせずにタイムシフト再生を続けるタイ
ムシフト再生手段と、前記タイムシフト再生を続けた後にタイマ予約があればタイマ予約
による記録を実行させるための第２の予約実行手段とを有するシステムコントローラを備
えたので、タイムシフト再生中に、タイマ予約を開始するためにパワーオフするタイマー
スタンバイ状態に移行するためのタイマースタンバイキーを割り当てる必要が無くなり、
これにより、タイマースタンバイ状態に移行するためのキー操作が無くなり、タイマ予約
による記録操作を簡単化し、したがって、ユーザにとっては使い勝手が向上する。
【００１６】
また、本発明によれば、タイムシフト再生実行中にタイマ予約がある場合、このタイマ
予約による記録が終了後に、パワーオフせずにタイムシフト再生を続け、この後、タイマ
予約があれば、タイマ予約による記録を実行させるための制御を行うシステムコントロー
ラを備えたので、タイムシフト再生中に、タイマ予約を開始するためにパワーオフするタ
イマースタンバイ状態に移行するためのタイマースタンバイキーを割り当てる必要が無く
なり、これにより、タイマースタンバイ状態に移行するためのキー操作が無くなり、タイ
マ予約による記録操作を簡単化し、したがって、ユーザにとっては使い勝手が向上する。
【発明を実施するための最良の形態】
【００１７】
以下、添付図面を参照しつつ、本発明の実施の形態について説明する。図１は本発明の
一実施形態に係る光ディスク記録再生装置の構成を示すブロック図である。
【００１８】
この光ディスク記録再生装置は、光ディスク１を回転させるスピンドルモータ５と、光
ディスク１に記録された情報を再生するためのレーザ光を出射すると共に光ディスク１か
らの反射光を受光する光ピックアップ２と、この光ピックアップ２を光ディスク１の半径
方向に移動させるためのスレッド３と、システムコントローラ２２の指示に応じてスピン
ドルモータ５およびスレッド３を駆動すると共に光ピックアップ２に内蔵された対物レン
ズ（図示せず）を動かすことによりレーザ光の焦点位置を光ディスク１の記録面に対して
垂直方向および水平方向に移動させる制御を行うサーボ制御部４とを備えている。
【００１９】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２０】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２１】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２２】
また、この光ディスク記録再生装置は、システムコントローラ２２に対して、再生指示
を与えるためのプレイキー（図示せず）、再生停止を指示するためのストップキー（図示
せず）、およびその他各種操作キーを有する操作部２１と、装置全体を制御する前記シス
テムコントローラ２２とを備えている。なお、操作部２１は、リモートコントローラであ
っても良いし、装置本体の操作パネルに設けられた操作部であっても良い。
【００２３】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４とを備えている。
【００２４】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００２５】
システムコントローラ２２は、本実施形態の特徴とする構成要素として、タイムシフト
再生を実行中であるか否かを判定するタイムシフト判定手段２２１と、前記タイムシフト
再生実行中であると判定された場合にタイマ予約が有るか否かを判定する予約判定手段２
２２と、前記タイマ予約があると判定された場合に予約時刻の所定時間前であるか否かを
判定する時間前判定手段２２３と、前記予約時刻の所定時間前であると判定された場合に
タイマ予約による記録を実行させるための第１の予約実行手段２２４と、前記タイマ予約
による記録終了後にパワーオフせずにタイムシフト再生を続けるタイムシフト再生手段２
２５と、前記タイムシフト再生を続けた後にタイマ予約があればタイマ予約による記録を
実行させるための第２の予約実行手段２２６とを有する。
【００２６】
図２は本実施形態においてタイマ予約の実行処理を説明するためのフローチャートであ
る。このフローチャートを参照してタイマ予約の実行処理を説明する。
【００２７】
タイムシフト再生実行中であることがシステムコントローラ２２のタイムシフト判定手
段２２１により判定されると（ステップＳ１）、次に、タイマ予約が有るか否かが予約判
定手段２２２により判定される（ステップＳ２）。例えば、タイムシフト再生が実行中で
あるか否かを示すフラグが、論理１のときはタイムシフト再生が実行中であり、論理０の
ときはタイムシフト再生が実行中でないことを示すので、タイムシフト判定手段２２１は
論理１のフラグを検出することによりタイムシフト再生実行中であると言うことを判定す
る（ステップＳ１）。また、タイマ予約があることを示す予約情報はフラッシュＲＯＭ２
３に記憶されるので、予約判定手段２２２はフラッシュＲＯＭ２３から予約情報を読み出
すことによりタイマ予約があると言うことを判定する（ステップＳ２）。
【００２８】
そして、前記タイマ予約があると判定された場合、予約時刻の所定時間前（例えば予約
時刻が９時３０分であった場合、所定時間前が２分前とすると９時２８分）であるか否か
が時間前判定手段２２３に判定され（ステップＳ３）、所定時間前になれば、タイマ予約
による記録が第１の予約実行手段２２４により実行される（ステップＳ４）。所定時間を
取っているのは、光ピックアップ２がタイマ予約による記録を行うために光ディスク１上
の目的とする領域をシークするために必要な時間である。
【００２９】
そのタイマ予約による記録が終了すると（ステップＳ５）、タイムシフト再生手段２２
５はパワーオフせずにタイムシフト再生を続ける（ステップＳ６）。この後、タイマ予約
が有れば（ステップＳ７）、ステップＳ３に戻り、以下同様な処理を行い、タイマ予約が
無ければ、本タイマ予約に関する処理を終える。
【００３０】
図３は本実施形態においてタイムシフト再生中タイマ予約がある場合の処理を時系列的
に示す図である。この図３を参照して説明すると、タイムシフトで再生中に時点ｔ３のタ
イマ予約がある場合、時点ｔ１でプレイキーを押下してタイムシフト再生に移行したとき
、このタイムシフトで再生中、時点ｔ２で記録終了しても、未だ再生し続けている場合、
時点ｔ３で、ストップキーを押下することによりタイムシフト再生が停止し、これに代わ
りタイマ予約による記録が開始される。この記録の内容はディスプレイ装置２０に表示す
ることができる。
【００３１】
以上説明したように本実施形態によれば、タイムシフト再生実行中にタイマ予約がある
場合、このタイマ予約による記録が終了後に、パワーオフせずにタイムシフト再生を続け
、この後、タイマ予約があれば、タイマ予約による記録を実行させるためのシステムコン
トローラ２２を備えたので、タイムシフト再生中に、タイマ予約を開始するためにパワー
オフするタイマースタンバイ状態に移行するためのタイマースタンバイキーを割り当てる
必要が無くなり、これにより、タイマースタンバイ状態に移行するためのキー操作が無く
なり、タイマ予約による記録操作を簡単化し、したがって、ユーザにとっては使い勝手が
向上する。
【図面の簡単な説明】
【００３２】
【図１】本発明の一実施形態に係る光ディスク記録再生装置の構成を示すブロック図である。
【図２】前記実施形態においてタイマ予約の実行処理を説明するためのフローチャートである。
【図３】前記実施形態においてタイムシフト再生中タイマ予約がある場合の処理を時系列的に示す図である。
【図４】従来の光ディスク記録再生装置においてタイムシフト再生の処理を時系列的に示す図である。
【符号の説明】
【００３３】
１    光ディスク
２２    システムコントローラ
２２１    タイムシフト判定手段
２２２    予約判定手段
２２３    時間前判定手段
２２４    第１の予約実行手段
２２５    タイムシフト再生手段
２２６    第２の予約実行手段
【図１】
2006066028.tif 000003
【図２】
2006066028.tif 000004
【図３】
2006066028.tif 000005
【図４】
2006066028.tif 000006